(57)【要約】【課題】架台に猫などの動物が昇塔することを防止する昇塔防止装置を提供する。【解決手段】昇塔防止装置１０は、外形が矩形の基礎面の四隅から立脚する主柱材５ａ、及びこれらの主柱材５ａを結合すると共に、略等間隔に配置された複数の水平材５ｂで四角柱状に骨組みされ、上部に断路器７を搭載する架台５に猫などの動物が昇塔することを防止する。昇塔防止装置１０は、Ｌ字状に屈曲された一対の垂直パネル１・１と矩形状の仕切り板２を備える。一対の垂直パネル１・１は、架台５の隣接する外面を囲うように、架台５の上部に配置される。仕切り板２は、一対の垂直パネル１・１の下縁と略一致するように水平状態に配置され、架台５の内部を上下に仕切っている。昇塔防止装置１０は、架台５の外部及び内部から猫などの動物が上部に昇塔することを阻止できる。【選択図】図３
2012251350.tif 000002
【特許請求の範囲】
【請求項１】
外形が矩形の基礎面の四隅から立脚する主柱材、及びこれらの主柱材を結合すると共に、略等間隔に配置された複数の水平材で四角柱状に骨組みされ、上部に配電設備を搭載する架台に動物が昇塔することを防止する昇塔防止装置であって、
前記架台の隣接する外面を囲うように、当該架台の上部に配置されたＬ字状に屈曲された一対の垂直パネルと、
これらの垂直パネルの下縁と略一致するように水平状態に配置され、前記架台の内部を上下に仕切る仕切り板と、備える昇塔防止装置。
【請求項２】
前記垂直パネルは、前記水平材に係止可能なフック部材と、前記仕切り板を取り付け可能なアングル部材と、を有する請求項１記載の昇塔防止装置。
【請求項３】
一対の前記垂直パネルの内面が前記架台の外面に密着するように、一対の前記垂直パネルを締め付ける一組のバンド部材を更に備える請求項１又は２記載の昇塔防止装置。
【請求項４】
前記仕切り板は、多孔板又は網目板からなる請求項１から３のいずれかに記載の昇塔防止装置。
【発明の詳細な説明】
【技術分野】
【０００１】
本発明は、昇塔防止装置に関する。特に、電力回路の電圧を開閉する断路器などを上部に搭載する、鉄骨で骨組みされた架台に猫などの動物が昇塔することを防止する装置の構造に関する。
【背景技術】
【０００２】
例えば、送電線を架設する鉄塔には、地上から３ｍ〜５ｍの高さの位置に昇塔防止部材を設置して、関係者以外の昇塔を阻止している。この昇塔防止部材は、鉄塔に設置された梯子、又はステップボルトなどの昇降通路を遮断し、特に、子供などの昇塔を防止している。一般に、このような昇塔防止部材は、鉄塔の周囲に枠体を水平方向に設置したものや、鉄塔の周囲を包囲するように放射状に棒状部材を突出したものが知られている。
【０００３】
ところで、民家や公共施設などに囲まれた市街地の狭いスペースに鉄塔を設置する場合に、鉄塔の周囲に昇塔防止部材を突出させることは好ましくなく、かつ、鉄塔の周辺の環境を損なうなどの欠点を有することから、狭隘地に適合するように、垂直方向に設置される昇塔防止装置が開示されている（例えば、特許文献１参照）。
【０００４】
特許文献１による昇塔防止装置は、鉄塔を構成する塔脚の適宜な高さに配置された昇降防止用のパネルであって、鉄塔の内側に水平状態に配置され、金網が張設された複数の水平阻止パネルと、鉄塔の外側に垂直状態に配置された複数の垂直阻止パネルと、で構成され、これらの垂直阻止パネルは、塔脚の外側を覆うように取り付けられている。
【０００５】
特許文献１による昇塔防止装置は、関係者が昇塔する場合には、昇降通路を遮断する一部の垂直阻止パネルを開閉できるように構成され、鉄塔の外周に設けられた阻止パネルを垂直に設置することにより、鉄塔の外側に昇降を阻止するパネルが過剰に張り出すことをなくし、土地の有効利用に好適である、としている。
【先行技術文献】
【特許文献】
【０００６】
【特許文献１】実開平４−６２８６０号公報
【発明の概要】
【発明が解決しようとする課題】
【０００７】
特許文献１による昇塔防止装置は、関係者以外、特に子供などの昇塔を防止できるとしている。しかしながら、特許文献１を参照すると、鉄塔の内部の中央部が空間になっている。又、塔脚（主柱材）の下部と上部に配置された水平材を結合する斜材が鉄塔の内部の空間を貫通している。したがって、猫など動物がこの斜材を登って昇塔できるという問題がある。
【０００８】
例えば、断路器などを上部に搭載する架台は、屋外に設置されると共に、梯子状に複数の水平材を取り付けているので、架台の内側又は外側から、猫など動物がこれらの水平材を登って、容易に昇塔できるという問題がある。そして、猫など動物が断路器に接触して地絡事故又は短絡事故を発生させるという心配がある。そして、以上のことが本発明の課題といってよい。
【０００９】
本発明は、このような課題に鑑みてなされたものであり、架台に猫などの動物が昇塔することを防止する昇塔防止装置を提供することを目的とする。
【課題を解決するための手段】
【００１０】
本発明者は、Ｌ字状に屈曲された一対の垂直パネルで架台の隣接する外面を囲うと共に、架台の内部を上下に仕切り板で仕切ることにより、架台の外部及び内部から猫などの動物が昇塔することを阻止できると考え、これに基づいて、以下のような新たな昇塔防止装置を発明するに至った。
【００１１】
（１）本発明による昇塔防止装置は、外形が矩形の基礎面の四隅から立脚する主柱材、及びこれらの主柱材を結合すると共に、略等間隔に配置された複数の水平材で四角柱状に骨組みされ、上部に配電設備を搭載する架台に動物が昇塔することを防止する昇塔防止装置であって、前記架台の隣接する外面を囲うように、当該架台の上部に配置されたＬ字状に屈曲された一対の垂直パネルと、これらの垂直パネルの下縁と略一致するように水平状態に配置され、前記架台の内部を上下に仕切る仕切り板と、備える。
【００１２】
（２）前記垂直パネルは、前記水平材に係止可能なフック部材と、前記仕切り板を取り付け可能なアングル部材と、を有することが好ましい。
【００１３】
（３）本発明による昇塔防止装置は、一対の前記垂直パネルの内面が前記架台の外面に密着するように、一対の前記垂直パネルを締め付ける一組のバンド部材を更に備えることが好ましい。
【００１４】
（４）前記仕切り板は、多孔板又は網目板からなることが好ましい。
【発明の効果】
【００１５】
本発明による昇塔防止装置は、外形が矩形の基礎面の四隅から立脚する主柱材、及びこれらの主柱材を結合すると共に、略等間隔に配置された複数の水平材で四角柱状に骨組みされ、上部に配電設備を搭載する架台において、架台の隣接する外面を囲うようにＬ字状に屈曲された一対の垂直パネルを架台の上部に配置しているので、これらの水平材を登って猫などの動物が外部から配電設備に昇塔することを阻止できる。又、架台の内部を上下に仕切り板で仕切っているので、これらの水平材を登って猫などの動物が内部から配電設備に昇塔することを阻止できる。
【図面の簡単な説明】
【００１６】
【図１】本発明の一実施形態による昇塔防止装置の構成を示す斜視図であり、上部に断路器を搭載する架台に昇塔防止装置を取り付けた状態図である。
【図２】前記実施形態による昇塔防止装置の構成を示す斜視図であり、上部に断路器を搭載する架台を内部から観た状態図である。
【図３】前記実施形態による昇塔防止装置の斜視分解組立図である。
【図４】前記実施形態による昇塔防止装置の斜視図である。
【発明を実施するための形態】
【００１７】
以下、図面を参照して本発明を実施するための形態を説明する。
［全体構成］
最初に、本発明の一実施形態による昇塔防止装置の構成を説明する。図１は、本発明の一実施形態による昇塔防止装置の構成を示す斜視図であり、上部に断路器を搭載する架台に昇塔防止装置を取り付けた状態図である。図２は、前記実施形態による昇塔防止装置の構成を示す斜視図であり、上部に断路器を搭載する架台を内部から観た状態図である。
【００１８】
図３は、前記実施形態による昇塔防止装置の斜視分解組立図である。図４は、前記実施形態による昇塔防止装置の斜視図である。なお、実施形態による昇塔防止装置が適用される架台として、配電設備となる断路器を上部に搭載する架台を例示する。
【００１９】
（断路器の構成）
図１を参照すると、配電設備となる断路器７は、台座６を介して一対の架台５・５の上部に搭載されている。台座６は、一対のＣ型チャンネル状の水平架６ａ・６ａと、三つのＣ型チャンネル状の横断架６ｂで構成している。一対の水平架６ａ・６ａは、一対の架台５・５の上部を連結している。横断架６ｂは、一対の水平架６ａ・６ａの上部に並設配置されている。
【００２０】
図１又は図３及び図４を参照すると、横断架６ｂには、ラインスイッチ７ｓを設けている。ラインスイッチ７ｓは、一対の固定碍子７ａ・７ａ、回転碍子７ｂ、及び帯板状の導電性を有するブレードコンタクト７ｃを備えている。一対の固定碍子７ａ・７ａは、横断架６ｂの両端部に立設している。回転碍子７ｂは、回動可能に横断架６ｂの中央部に立設している。又、回転碍子７ｂは、ブレードコンタクト７ｃを上部に固定している。
【００２１】
図３又は図４を参照すると、固定碍子７ａは、ブレードコンタクト７ｃの端部と接続される二股状の接続端子７ｄを上部に固定している。一方の固定碍子７ａの接続端子７ｄには、母線となる架空電線ｗ１が接続され、他方の固定碍子７ａの接続端子７ｄには、送電線となる架空電線ｗ２が接続されている（図１参照）。
【００２２】
図３又は図４を参照すると、一対の接続端子７ｄ・７ｄは、水平面上で異なる方向に開口している。ブレードコンタクト７ｃの両端部が一対の接続端子７ｄ・７ｄから離れる方向に、回転碍子７ｂを回動すると、架空電線ｗ１と架空電線ｗ２の接続を遮断できる（図１参照）。
【００２３】
図１又は図３及び図４を参照すると、断路器７は、三つのラインスイッチ７ｓを連動して作動させるベルクランク機構８を更に備えている。ベルクランク機構８は、回動板８ａと一対のリンク棒８ｂ・８ｂで構成されている。回動板８ａは、固定碍子７ａの下端部に固定されている。一対のリンク棒８ｂ・８ｂは、平行に配置されている。又、一対のリンク棒８ｂ・８ｂは、回動板８ａから相反する向きに突出する一対のアームに回転可能に連結している。
【００２４】
図３及び図４を参照して、一方のリンク棒８ｂを押して、他方のリンク棒８ｂを引くと、回動板８ａを一方の方向に回動できる。そして、ブレードコンタクト７ｃを一方の方向に回動させて、一対の接続端子７ｄ・７ｄの接続を遮断できる。一方、一方のリンク棒８ｂを引いて、他方のリンク棒８ｂを押すと、回動板８ａを他方の方向に回動できる。そして、ブレードコンタクト７ｃを他方の方向に回動させて、一対の接続端子７ｄ・７ｄを接続できる。
【００２５】
図１を参照すると、断路器７は、ベルクランク機構８を作動させる駆動装置８１を備えている。駆動装置８１は、モータ（図示せず）と、このモータに連結された回転軸（図示せず）を有し、モータは、動力箱８１ａの内部に収容され、回転軸は、パイプ８１ｂの内部に収容されている。又、回転軸の先端部は、ベルクランク機構８に連結している。そして、モータを駆動すると、三つのラインスイッチ７ｓを連動して作動できる。なお、パイプ８１ｂの中間部には、回転軸の動作を監視する監視箱８１ｃを設けている。
【００２６】
（架台の構成）
図１から図４を参照すると、架台５は、四つのＬ型アングル材からなる主柱材５ａと、複数の帯板状の水平材５ｂで四角柱状に骨組みされている。主柱材５ａ、外形が矩形の基礎面の四隅から立脚している。水平材５ｂは、四つの主柱材５ａに溶接で結合され、略等間隔に配置されている。図示された架台５は、水平材５ｂが梯子状に骨組みされているので、猫などの動物が容易に昇塔できた。本発明による昇塔防止装置は、架台５に猫などの動物が昇塔することを防止できる。
【００２７】
（昇塔防止装置の構成）
図１から図４を参照すると、本発明の一実施形態による昇塔防止装置１０は、Ｌ字状に屈曲された一対の垂直パネル１・１と矩形状の仕切り板２を備えている。これらの垂直パネル１・１は、架台５の隣接する外面を囲うように、架台５の上部に配置されている。仕切り板２は、これらの垂直パネル１・１の下縁と略一致するように水平状態に配置され、架台５の内部を上下に仕切っている。
【００２８】
図２から図４を参照すると、垂直パネル１は、鉤状に形成されフック部材１ａと一対のアングル部材１ｂ・１ｂを内壁に取り付けている。フック部材１ａは、最上段の水平材５ｂに係止できる。一対のアングル部材１ｂ・１ｂは、仕切り板２を取り付けることができる。
【００２９】
図１又は図２及び図４を参照すると、実施形態による昇塔防止装置１０は、一組のバンド部材３・３を更に備えている。図３を参照すると、垂直パネル１は、バンド部材３が挿通可能な複数の穴１１を上部と下部に開口している。図４を参照して、フック部材１ａを最上段の水平材５ｂに係止した後に、これらの穴１１にバンド部材３を挿通して、一対の垂直パネル１・１の上部及び下部を締め付けると、一対の垂直パネル１・１の内面が架台５の外面に密着して固定できる。
【００３０】
図２を参照して、仕切り板２は、多孔板又は網目板からなることが好ましく、架台５の内部に突出したアングル部材１ｂに搭載することができる。そして、針金などを利用して、仕切り板２をアングル部材１ｂに固定できる。
【００３１】
（昇塔防止装置の作用）
次に、実施形態による昇塔防止装置１０の作用及び効果を説明する。図１又は図３及び図４を参照すると、昇塔防止装置１０は、外形が矩形の基礎面の四隅から立脚する主柱材５ａ、及びこれらの主柱材５ａを結合すると共に、略等間隔に配置された複数の水平材５ｂで四角柱状に骨組みされ、上部に配電設備となる断路器７を搭載する架台５において、架台５の隣接する外面を囲うようにＬ字状に屈曲された一対の垂直パネル１・１を架台５の上部に配置しているので、これらの水平材５ｂを登って猫などの動物が架台５の外部から断路器７に昇塔することを阻止できる。
【００３２】
又、図２又は図４を参照すると、昇塔防止装置１０は、一対の垂直パネル１・１の下縁と略一致するように水平状態に配置され、架台５の内部を上下に仕切る仕切り板２を備えるので、梯子状に形成された水平材５ｂを登って猫などの動物が架台５の内部から断路器７に昇塔することを阻止できる。
【００３３】
図３又は図４を参照すると、垂直パネル１は、水平材５ｂに係止可能なフック部材１ａを備えているので、架台５へ容易に取り付けることができる。又、垂直パネル１は、Ｌ字状に屈曲されているので、駆動装置８１に邪魔されることなく（図１参照）、架台５の正面側及び背面側から取り付けることができる。
【００３４】
図１又は図４を参照すると、昇塔防止装置１０は、架台５の周囲を一対の垂直パネル１・１で囲っているので、架台５の周囲に昇塔防止部材が突出していないので、架台５の周辺の環境を損なわないという利点がある。
【００３５】
図１を参照すると、実施形態による昇塔防止装置１０は、猫などの動物が昇塔することを阻止できるので、猫など動物が断路器７に接触して地絡事故又は短絡事故を発生させることを防止できる。したがって、上記の事故に伴う修理費及び修理作業を削減できる。又、猫など動物の接触に伴う停電を防止できるので、電力供給の義務を遂行できる。
【符号の説明】
【００３６】
１  垂直パネル
２  仕切り板
５  架台
５ａ  主柱材
５ｂ  水平材
７  断路器（配電設備）
１０  昇塔防止装置
【図１】
2012251350.tif 000003
【図２】
2012251350.tif 000004
【図３】
2012251350.tif 000005
【図４】
2012251350.tif 000006